(57)【要約】【課題】光量損失を低減できる照明装置を有する画像読取装置を提供する。【解決手段】画像読取装置は、原稿を照明する照明装置５０と、原稿からの反射光を受光して反射光を画像信号に変換するイメージセンサーと、を有し、照明装置は、複数の発光素子１００と、複数の発光素子の発光部１０８から出射方向Ｅに出射された光を原稿２０３へ向ける導光体１０２と、を有し、導光体は、複数の発光素子からの光が入射する入射面１０３と、入射面に入射した光１０７を伝搬する導光部１０４と、導光部を伝搬した光を原稿へ向けて出射する出射面１０６と、導光体から出射方向と反対の方向に複数の発光素子の上に延在する庇部１１０と、入射面へ入射した光の一部及び複数の発光素子から庇部に入射した光の一部を導光部へ向けて反射する反射部１１１と、を有する。【選択図】図１
2015082795.tif 000002
【特許請求の範囲】
【請求項１】
原稿を照明する照明装置と、
前記原稿からの反射光を受光して前記反射光を画像信号に変換するイメージセンサーと、
を有する画像読取装置であって、
前記照明装置は、
複数の発光素子と、
前記複数の発光素子の発光部から出射方向に出射された光を前記原稿へ向ける導光体と、
を有し、
前記導光体は、
前記複数の発光素子からの前記光が入射する入射面と、
前記入射面に入射した前記光を伝搬する導光部と、
前記導光部を伝搬した前記光を前記原稿へ向けて出射する出射面と、
前記導光体から前記出射方向と反対の方向に前記複数の発光素子の上に延在する庇部と、
前記入射面へ入射した前記光の一部及び前記複数の発光素子から前記庇部に入射した光の一部を前記導光部へ向けて反射する反射部と、
を有する画像読取装置。
【請求項２】
前記反射部は、前記庇部の上部に設けられた傾斜頂面を有し、前記傾斜頂面は、前記入射面へ入射した前記光の前記一部及び前記複数の発光素子から前記庇部に入射した前記光の前記一部を前記導光部へ向けて全反射する請求項１に記載の画像読取装置。
【請求項３】
前記反射部は、前記庇部の上部に設けられた傾斜頂面と、前記傾斜頂面に塗布された反射性塗料とを有する請求項１に記載の画像読取装置。
【請求項４】
前記反射部は、前記庇部の上部に設けられた傾斜頂面と、前記傾斜頂面の上に配置された反射性シート部材とを有する請求項１に記載の画像読取装置。
【請求項５】
前記傾斜頂面と前記導光部の上面とのなす角度は、１８０°を超える請求項２乃至４のいずれか一項に記載の画像読取装置。
【請求項６】
前記導光体は、前記導光部を伝搬した前記光を前記原稿へ向けて偏向する偏向面をさらに有し、
前記傾斜頂面と前記導光部の上面とを接続する接続部は、前記入射面と前記偏向面との間に設けられている請求項２乃至５のいずれか一項に記載の画像読取装置。
【請求項７】
前記照明装置は、主走査方向に線状に前記原稿を照明し、
前記画像読取装置は、前記主走査方向に直交する副走査方向に前記照明装置および前記イメージセンサーを移動させながら前記原稿の前記画像を読み取る請求項１乃至６のいずれか一項に記載の画像読取装置。
【請求項８】
前記照明装置は、主走査方向に線状に前記原稿を照明し、
前記画像読取装置は、前記原稿を前記主走査方向に直交する副走査方向に移動させながら前記原稿の前記画像を読み取る請求項１乃至６のいずれか一項に記載の画像読取装置。
【発明の詳細な説明】
【技術分野】
【０００１】
本発明は、原稿を照明する照明装置を有する画像読取装置に関する。
【背景技術】
【０００２】
従来、画像読取装置は、複写機、イメージスキャナ、マルチファンクションプリンタ等に用いられている。画像読取装置は、原稿を光で照明し、原稿からの反射光を受光することにより原稿の画像を読み取る。原稿を光で照明するために、画像読取装置は、照明装置を有する。照明装置は、複数の発光素子から出射された光を原稿へ導く導光体を有するものがある。
【０００３】
図６は、従来の照明装置４５０の副走査断面を示す断面図である。照明装置４５０は、原稿２０３を載置する原稿台ガラス２０２の下に配置されている。
【０００４】
照明装置４５０は、複数の発光素子１００と、複数の発光素子１００が配列された基板１０１と、基板１０１に固定された導光体４０２とを有する。複数の発光素子１００は、主走査方向（図６の紙面に垂直な方向）に沿って直線状に基板１０１の上に配置されている。導光体４０２は、入射面４０３、導光部４０４、偏向面（反射面）４０５、及び出射面４０６を有する。導光体４０２の入射面４０３は、発光素子１００の発光部（出射面）１０８に近接して配置されている。
【０００５】
図６に示す照明装置４５０において、発光素子１００の発光部１０８から出射された光１０７は、導光体４０２の入射面４０３へ入射する。光１０７は、導光体４０２の導光部４０４内を伝搬する。偏向面４０５は、導光部４０４からの光１０７の進行方向を上方へ偏向して、光１０７を原稿台ガラス２０２上の原稿読取位置ＲＰへ向ける。光１０７は、原稿台ガラス２０２の上面２０２ａに載置された原稿２０３を主走査方向に直線状に照明する。
【０００６】
発光素子１００からの光１０７の大部分は、導光体４０２の入射面４０３に入射する。しかし、発光素子１００は、ガウス分布で光１０７を出射するので、入射面４０３に入射した光１０７の一部の光１１４は、導光部４０４内での全反射の条件を満たさずに導光部４０４の外へ漏れ出る。
【０００７】
また、発光素子１００の発光部１０８以外の頂面１００ａから漏れ出る光１１５もある。光１１４及び１１５は、所望の照明用の光１０７ではないので、照明の光量を不均一にしたり、読み取り画像にゴーストやフレアを発生させたりという問題を生じる有害な光である。
【０００８】
これらの有害な光１１４及び１１５による照明不良及び画像不良を防止するために、照明装置４５０には、図６に示すように、導光体４０２の一部及び発光素子１００を覆う遮光部材１０９が設けられている（特許文献１）。遮光部材１０９は、有害な光１１４及び１１５が原稿読取位置ＲＰに到達しないように有害な光１１４及び１１５を遮断する。
【先行技術文献】
【特許文献】
【０００９】
【特許文献１】特開２００８−１８０８４１号公報
【発明の概要】
【発明が解決しようとする課題】
【００１０】
遮光部材１０９は、一般に、シート部材や不透明樹脂部材でつくられている。発光素子１００は、発熱体であるので、発光素子１００を覆う遮光部材１０９は、耐熱性が要求される。しかし、遮光部材１０９に耐熱性のシート部材や耐熱性の不透明樹脂部材を用いると、照明装置４５０の製造コストが高くなるという問題がある。
【００１１】
また、発光素子１００から出射される光１０７の一部の光１１４及び１１５は、導光体４０２の外へ漏れ出るので、照明光の光量損失を引き起こすという問題もある。
【００１２】
そこで、本発明は、光量損失を低減できる照明装置を有する画像読取装置を提供する。
【課題を解決するための手段】
【００１３】
上記の問題を解決するために、本発明による画像読取装置は、
原稿を照明する照明装置と、
前記原稿からの反射光を受光して前記反射光を画像信号に変換するイメージセンサーと、
を有し、
前記照明装置は、
複数の発光素子と、
前記複数の発光素子の発光部から出射方向に出射された光を前記原稿へ向ける導光体と、
を有し、
前記導光体は、
前記複数の発光素子からの前記光が入射する入射面と、
前記入射面に入射した前記光を伝搬する導光部と、
前記導光部を伝搬した前記光を前記原稿へ向けて出射する出射面と、
前記導光体から前記出射方向と反対の方向に前記複数の発光素子の上に延在する庇部と、
前記入射面へ入射した前記光の一部及び前記複数の発光素子から前記庇部に入射した光の一部を前記導光部へ向けて反射する反射部と、
を有する。
【発明の効果】
【００１４】
本発明によれば、光量損失を低減できる照明装置を有する画像読取装置を提供することができる。
【図面の簡単な説明】
【００１５】
【図１】実施例１の照明装置を示す図。
【図２】実施例２の導光体の部分断面図。
【図３】実施例３の導光体の部分断面図。
【図４】実施例１の光学ユニットの断面図。
【図５】実施例１の画像読取装置の断面図。
【図６】従来の照明装置の副走査断面を示す断面図。
【発明を実施するための形態】
【００１６】
以下、本発明の実施例を説明する。
【実施例１】
【００１７】
以下、実施例１を説明する。
【００１８】
（画像読取装置）
図５は、実施例１の画像読取装置２０７の断面図である。
画像読取装置２０７は、本体２０８と、本体２０８の上部に配置された原稿台ガラス２０２と、本体２０８の内部で副走査方向Ｙに移動可能な光学ユニット２００とを有する。光学ユニット２００は、本体２０８に設けられた軌道２０９に支持されている。光学ユニット２００は、一対のプーリー２１１、２１２に巻き掛けられたベルト２１０に固定されている。モータ２１３は、プーリー２１１を正回転及び逆回転させて、ベルト２１０を矢印Ｃ１及びＣ２で示す方向に回転させる。モータ２１３によりベルト２１０を矢印Ｃ１で示す方向に正回転させると、光学ユニット２００は、軌道２０９に沿って副走査方向Ｙに移動する。一方、モータ２１３によりベルト２１０を矢印Ｃ２で示す方向に逆回転させると、光学ユニット２００は、副走査方向Ｙと逆の方向に移動する。
【００１９】
光学ユニット２００は、原稿２０３が載置された原稿台ガラス２０２の下を副走査方向Ｙへ移動しながら、原稿２０３の画像を読み取る。ここで、副走査方向Ｙは、主走査方向Ｘ（図１（ｂ））に直交する。主走査方向Ｘは、光学ユニット２００の後述する個体撮像素子（イメージセンサー）２０６の複数の受光部が配列されている方向（図５の紙面に垂直な方向）である。すなわち、個体撮像素子２０６は、原稿２０３の画像を主走査方向Ｘに線状に画像信号に変換する。
【００２０】
（光学ユニット）
図４は、実施例１の光学ユニット２００の断面図である。
光学ユニット２００は、枠体２１４と、照明装置５０と、反射ミラー２０４（２０４ａ、２０４ｂ、２０４ｃ、２０４ｄ）と、レンズユニット（結像光学系）２０５と、個体撮像素子２０６とを有する。ハウジング部材２０１は、枠体２１４の上部に設けられている。照明装置５０は、ハウジング部材２０１に固定されている。複数の反射ミラー２０４及びレンズユニット２０５は、枠体２１４内に配置されている。個体撮像素子２０６は、枠体２１４の側部に固定されている。
【００２１】
照明装置５０は、原稿台ガラス２０２上の原稿２０３を主走査方向Ｘに線状に照明する。照明装置５０から出射されたＬＥＤ光束（以下、光という。）１０７は、原稿台ガラス２０２上の原稿２０３で反射される。反射光１１７は、ハウジング部材２０１の光透過部２０１ａ及び枠体２１４の光透過部２１４ａを通して枠体２１４内へ入射する。反射光１１７は、反射ミラー２０４ａ、２０４ｂ、２０４ｃ、及び２０４ｄにより反射されて、レンズユニット２０５へ入射する。レンズユニット２０５は、反射光１１７を枠体２１４の光透過部２１４ｂを通して個体撮像素子２０６の上に結像させる。個体撮像素子２０６は、主走査方向Ｘに配列された複数の受光部を有する。個体撮像素子２０６は、反射光１１７を受光して、反射光１１７を、原稿２０３の主走査方向Ｘの線状の画像情報に従う画像信号としての電気信号に光電変換する。
【００２２】
光学ユニット２００は、画像読取装置２０７内を副走査方向Ｙへ移動しながら主走査方向Ｘの線状の画像情報を電気信号として順次出力することにより、原稿２０３の平面的な画像を読み取るように構成されている。
【００２３】
（照明装置）
図１は、実施例１による照明装置５０を示す図である。図１（ａ）は、照明装置５０の副走査断面を示す断面図である。図１（ｂ）は、照明装置５０の平面図である。
【００２４】
照明装置５０は、複数の発光ダイオード（以下、発光素子という。）１００と、複数の発光素子１００がアレイ状に配列されたＬＥＤプリント配線板（以下、基板という。）１０１と、基板１０１に固定された導光体１０２とを有する。
【００２５】
本実施例において、発光素子１００として端面放射型発光ダイオードを使用している。しかし、発光素子１００として表面放射型発光ダイオードを使用してもよい。複数の発光素子１００は、配列方向（図１（ｂ）に示す主走査方向Ｘ）に沿って直線状に所定の間隔で基板１０１の上に配列されている。
【００２６】
導光体１０２は、入射面１０３、導光部１０４、偏向面（反射面）１０５、及び出射面１０６を有する。本実施例において、導光体１０２は、アクリル樹脂などの透明な樹脂材料で形成されている。導光体１０２は、主走査方向Ｘに細長い形状を有する。導光体１０２の副走査方向Ｙの上流側の入射面１０３は、直線状に配置された複数の発光素子１００に沿って配置されている。入射面１０３は、発光素子１００からの光の光量損失を低減するために、発光素子１００の発光部（出射面）１０８に近接して配置されている。基板１０１の上面（以下、当接面という。）１０１ａは、複数の発光素子１００から出射される光１０７の出射方向Ｅと略平行である。導光体１０２は、基板１０１に固定されている。
【００２７】
発光素子１００の発光部１０８から出射された光１０７は、導光体１０２の入射面１０３へ入射する。入射面１０３に入射した光１０７は、導光体１０２の導光部１０４を伝搬する。導光体１０２の導光部１０４と出射面１０６との間には原稿２０３へ光１０７を向かわせるための偏向面１０５が設けられている。偏向面１０５は、図１（ａ）に示すように斜め上方へ光１０７を偏向（反射）させる。偏向された光１０７は、導光体１０２の副走査方向Ｙの下流側の出射面１０６から原稿台ガラス２０２上の原稿読取位置ＲＰへ斜めに出射される。照明装置５０からの光１０７は、原稿読取位置ＲＰで原稿２０３を主走査方向Ｘに直線状に照明する。
【００２８】
（導光体）
導光体１０２は、複数の発光素子１００の発光部１０８から出射方向Ｅに出射された光１０７を原稿２０３へ向ける。本実施例において、出射方向Ｅは、主走査方向Ｘに垂直な方向である。出射方向Ｅは、副走査方向Ｙに対して傾斜しているが、副走査方向Ｙに平行であってもよい。
【００２９】
図１（ａ）を参照して、導光体１０２は、入射面１０３の上部から出射方向Ｅと反対の方向（副走査方向Ｙの上流側）に延在する庇部１１０を有する。庇部１１０は、発光素子１００の頂面１００ａを覆う。庇部１１０の下には、凹部１１８が形成されている。凹部１１８は、発光素子１００を収納する。本実施例において、庇部１１０は、出射方向Ｅにおける発光素子１００の全長さにわたって発光素子１００を覆っている。しかし、庇部１１０は、出射方向Ｅにおける発光素子１００の一部の長さを覆うものであってもよい。
【００３０】
導光体１０２は、庇部１１０の上部に傾斜頂面（連結面）１１１を有する。本実施例において、傾斜頂面１１１は、庇部１１０の後端部１１０ａから導光部１０４の上面１０４ａへ延在する平坦な傾斜面である。傾斜頂面１１１は、必ずしも庇部１１０の後端部１１０ａから延在していなくてもよく、庇部１１０の上部の一部に設けられていてもよい。傾斜頂面１１１は、導光部１０４の上面１０４ａに対して傾斜している。傾斜頂面１１１は、発光部１０８から出射される光１０７の出射方向Ｅに導光体１０２の入射面１０３から距離Ｄだけ離れた位置に設けられた稜線部１１６にて、１８０°を超える角度θで導光部１０４の上面１０４ａと交差するように構成されている。すなわち、傾斜頂面１１１と導光部１０４の上面１０４ａとのなす角度θは、１８０°より大きい。
【００３１】
発光素子１００の出射面１０８から出射される光１０７は、一般に、ガウス分布を有する。したがって、従来の導光体４０２においては、図６に示したように、導光体４０２の入射面４０３に入射した光１０７の一部の光１１４は、導光部４０４で全反射せずにそのまま導光部４０４の外へ出てしまう。これに対して、本実施例によれば、光１１４は、図１（ａ）に示すように、導光体１０２の傾斜頂面１１１で全反射されて、導光部１０４へ導かれる。傾斜頂面１１１は、導光部１０４の上面１０４ａと異なる角度に設定できるので、光１１４が傾斜頂面１１１で全反射されるように傾斜頂面１１１の角度を設定できる。
【００３２】
また、一般に、発光素子１００からの光１０７の大部分は、導光体１０２の入射面１０３に入射する。しかし、発光素子１００のケース自体も全体的に発光するため、図１（ａ）に示すように、一部の光１１５は、発光素子１００の頂面１００ａから上方に向かって出射される。
【００３３】
従来の導光体４０２においては、図６に示したように、発光素子１００の頂面１００ａから上方へ出射された光１１５は、導光体４０２に入射せずに導光体４０２の外部へ出射される。これに対して、本実施例によれば、発光素子１００の頂面１００ａから上方へ出射された光１１５は、導光体１０２の庇部１１０へ入射する。庇部１１０へ入射した光１１５は、図１（ａ）に示すように、導光体１０２の傾斜頂面１１１で全反射されて導光部１０４へ導かれる。傾斜頂面１１１は、導光部１０４の上面１０４ａと異なる角度に設定できるので、光１１５が傾斜頂面１１１で全反射されるように傾斜頂面１１１の角度を設定できる。
【００３４】
従来の技術においては、光１１４及び１１５は、導光体４０２の外へ漏れ出て、その後、原稿読取位置ＲＰへ向かい照明不良及び画像不良を生じさせる有害光であった。これに対して、本実施例においては、発光素子１００から原稿読取位置ＲＰへ向かう光１１４及び１１５は、導光体１０２の傾斜頂面１１１で全反射される。導光体１０２の傾斜頂面１１１は、発光素子１００から原稿読取位置ＲＰへ向かう光１１４及び１１５を反射する反射部を構成する。したがって、光１１４及び１１５が導光体１０２の出射面１０６以外の部分から導光体１０２の外へ漏れ出ることを防止できる。
【００３５】
また、光１１４及び１１５は、導光体１０２の傾斜頂面１１１で全反射されて導光部１０４へ導かれ、導光体１０２の出射面１０６から原稿読取位置ＲＰへ向けられる。従って、本実施例によれば、従来の技術においては有害光であった光１１４及び１１５を、照明光として有効に使用することができる。すなわち、発光素子１００から出射された光は、導光体１０２により光量損失なく導かれて原稿２０３の表面を照射する。光量損失が低減されるので、照明効率を増大させて、発光素子１００の数を減少させることが可能となる。
【００３６】
傾斜頂面１１１は、発光素子１００から原稿読取位置ＲＰへ向かう光１１４及び１１５を全反射する角度に設定されている。本実施例において、傾斜頂面１１１は、庇部１１０の後端部（出射方向Ｅと反対の方向の端部）１１０ａまで延在している。しかし、光１１４及び１１５を全反射することができれば、必ずしも後端部１１０ａまで延在する必要はない。
【００３７】
補足にはなるが、傾斜頂面１１１は、発光素子１００の頂面１００ａから傾斜頂面１１１へ出射された光及び発光素子１００の発光部１０８から傾斜頂面へ出射された光のすべてを全反射して導光部１０４へ向けることはできない。例えば、図１（ａ）に示すように、発光素子１００の頂面１００ａから出射された光１２１は、導光体１０２の外へ漏れ出る場合がある。しかし、光１２１は、原稿読取位置ＲＰに到達しない角度で導光体１０２から出射されるので、照明不良及び画像不良を生じさせる有害光にはならない。
【００３８】
（距離Ｄの説明）
傾斜頂面１１１は、発光部１０８から出射される光１０７の出射方向Ｅにおいて導光体１０２の入射面１０３から距離Ｄだけ離れた位置に設けられた稜線部１１６にて、１８０°を超える角度θで導光部１０４の上面１０４ａと交差するように構成されている。
【００３９】
稜線部１１６は、傾斜頂面１１１が発光素子１００から原稿読取位置ＲＰへ向かう光１１４及び１１５を全反射することができる角度で傾斜するように、導光部１０４の上面１０４ａに位置決めされる。距離Ｄは、このように位置決めされた稜線部１１６と入射面１０３との間の出射方向Ｅにおける距離である。
【００４０】
稜線部１１６は、導光体１０２の入射面１０３と偏向面１０５との間で導光体１０２の上面に設けられている。稜線部１１６は、導光部１０４の上面１０４ａと傾斜頂面１１１とを接続する接続部である。稜線部１１６において、導光部１０４の上面１０４ａの傾斜角が変化して、傾斜頂面１１１を形成している。稜線部１１６は、直線状である必要はなく、曲線状であってもよい。光１１４及び１１５を全反射することができる角度に設定された傾斜頂面１１１と導光部１０４の上面１０４ａの交点又は交点に対応する部分に、稜線部１１６が設けられていればよい。
【００４１】
本実施例において、導光体１０２に一つの傾斜頂面１１１が設けられている。しかし、導光体１０２に傾斜角度の異なる複数の傾斜頂面を設けてもよい。導光体１０２の入射面１０３に入射し原稿読取位置ＲＰへ向かう光１１４を全反射する傾斜頂面と、発光素子１００の頂面１００ａから原稿読取位置ＲＰへ向かう光１１５を全反射する傾斜頂面を別々に導光体１０２に設けてもよい。
【００４２】
本実施例によれば、発光素子１００から原稿読取位置ＲＰへ向かう光を傾斜頂面１１１により遮光することができる。従って、不均一な照明光量による照明不良及びゴーストやフレアによる画像不良を防止できる。
【００４３】
また、本実施例によれば、発光素子１００から原稿読取位置ＲＰへ向かう光を傾斜頂面１１１により全反射して導光体１０２の出射面１０６へ伝播させることができる。従って、光量損失を低減し、照明光量を増大し、発光素子１００の数を低減できる。これによって、画像読取装置の製造コストを低減することができる。
【実施例２】
【００４４】
以下、実施例２を説明する。
実施例２の画像読取装置、光学ユニット、及び照明装置は、実施例１と同様であるので説明を省略する。実施例２の導光体１２２は、実施例１の導光体１０２と異なるので、以下、図２を参照して導光体１２２を説明する。
【００４５】
図２は、実施例２の導光体１２２の部分断面図である。図２において、実施例１の構造と同様の構造には、同様の参照符号を付して説明を省略する。
【００４６】
導光体１２２の庇部１１０は、発光素子１００の上面１００ａを覆っている。導光体１２２は、庇部１１０の上部に傾斜頂面（連結面）１３１を有する。本実施例において、傾斜頂面１３１は、庇部１１０の後端部１１０ａから導光部１０４の上面１０４ａへ延在する平坦な傾斜面である。傾斜頂面１３１は、必ずしも庇部１１０の後端部１１０ａから延在していなくてもよく、庇部１１０の上部の一部に設けられていてもよい。傾斜頂面１３１は、導光部１０４の上面１０４ａに対して傾斜している。導光体１２２の傾斜頂面１３１には、白色または銀色の反射性塗料（反射部）１３２が塗布されている。
【００４７】
実施例１において、全反射が安定的に起こるためには反射部としての傾斜頂面１１１へ入射する光の角度が制限される（臨界角）。しかし、実施例２に示すように、反射性塗料１３２を傾斜頂面１３１に塗布することにより、傾斜頂面１３１に入射する光の角度の制限を緩くすることが可能となる。
【００４８】
導光部１０４の上面１０４ａと傾斜頂面１３１は、稜線部１２６で交差する。稜線部１２６は、導光部１０４の上面１０４ａと傾斜頂面１３１とを接続する接続部である。稜線部１２６は、導光体１２２の入射面１０３と偏向面１０５との間で導光体１０２の上面に設けられている。傾斜頂面１３１は、稜線部１２６にて１８０°を超える角度θ１で導光部１０４の上面１０４ａと交差するように構成されている。すなわち、傾斜頂面１３１と導光部１０４の上面１０４ａとのなす角度θ１は、１８０°より大きい。
【００４９】
発光素子１００の発光部１０８から入射面１０３に入射し原稿読取位置ＲＰへ向かう光１１４及び発光素子１００の頂面１００ａから庇部１１０に入射し原稿読取位置ＲＰへ向かう光１１５は、反射性塗料１３２が塗布された傾斜頂面１１１で反射される。従って、傾斜頂面１３１と導光部１０４の上面１０４ａとの間の角度θ１は、全反射の条件を満たすように１８０°を超える角度に必ずしも設定する必要はなく、例えば、１８０°であってもよい。
【００５０】
また、傾斜頂面１３１は、光１１４及び１１５を全反射させる角度に設定する必要がないので、入射面１０３から稜線部１２６までの距離Ｄを限定しなくてもよい。稜線部１２６は、導光体１２２の入射面１０３と偏向面１０５との間に設けられていればよい。
【００５１】
庇部１１０の発光素子１００と反対側の傾斜頂面１３１に反射性塗料１３２を塗布している。反射性塗料１３２は、発光素子１００から離れて設けられているので、反射性塗料１３２として耐熱性の比較的低い塗料を使用することができる。よって、製造コストを低減することができる。
【００５２】
実施例２においても、実施例１と同様の効果を奏することができる。
【実施例３】
【００５３】
以下、実施例３を説明する。
実施例３の画像読取装置、光学ユニット、及び照明装置は、実施例１と同様であるので説明を省略する。実施例３の導光体１４２は、実施例１の導光体１０２と異なるので、以下、図３を参照して導光体１４２を説明する。
【００５４】
図３は、実施例３の導光体１４２の部分断面図である。図３において、実施例１の構造と同様の構造には、同様の参照符号を付して説明を省略する。
【００５５】
導光体１４２の庇部１１０は、発光素子１００の上面１００ａを覆っている。導光体１４２は、庇部１１０の上部に傾斜頂面（連結面）１４１を有する。本実施例において、傾斜頂面１４１は、庇部１１０の後端部１１０ａから導光部１０４の上面１０４ａへ延在する平坦な傾斜面である。傾斜頂面１４１は、必ずしも庇部１１０の後端部１１０ａから延在していなくてもよく、庇部１１０の上部の一部に設けられていてもよい。傾斜頂面１４１は、導光部１０４の上面１０４ａに対して傾斜している。導光体１２２の傾斜頂面１４１には、反射性シート部材（反射部）１４３が配置されている。
【００５６】
実施例１において、全反射が安定的に起こるためには反射部としての傾斜頂面１１１へ入射する光の角度が制限される（臨界角）。しかし、実施例３に示すように、反射性シート部材１４３を傾斜頂面１４１の上に配置することにより、傾斜頂面１４１に入射する光の角度の制限を緩くすることが可能となる。
【００５７】
導光部１０４の上面１０４ａと傾斜頂面１４１は、稜線部１４６で交差する。稜線部１４６は、導光部１０４の上面１０４ａと傾斜頂面１４１とを接続する接続部である。稜線部１４６は、導光体１４２の入射面１０３と偏向面１０５との間で導光体１４２の上面に設けられている。傾斜頂面１４１は、稜線部１４６にて１８０°を超える角度θ２で導光部１０４の上面１０４ａと交差するように構成されている。すなわち、傾斜頂面１４１と導光部１０４の上面１０４ａとのなす角度θ２は、１８０°より大きい。
【００５８】
発光素子１００の発光部１０８から入射面１０３に入射し原稿読取位置ＲＰへ向かう光１１４及び発光素子１００の頂面１００ａから庇部１１０に入射し原稿読取位置ＲＰへ向かう光１１５は、反射性シート部材１４３が配置された傾斜頂面１４１で反射される。従って、傾斜頂面１４１と導光部１０４の上面１０４ａとの間の角度θ２は、全反射の条件を満たすように１８０°を超える角度に必ずしも設定する必要はなく、例えば、１８０°であってもよい。
【００５９】
また、傾斜頂面１４１は、光１１４及び１１５を全反射させる角度に設定する必要がないので、入射面１０３から稜線部１４６までの距離Ｄを限定しなくてもよい。稜線部１４６は、導光体１４２の入射面１０３と偏向面１０５との間に設けられていればよい。
【００６０】
庇部１１０の発光素子１００と反対側の傾斜頂面１４１に反射性シート部材１４３を配置している。反射性シート部材１４３は、発光素子１００から離れて配置されているので、反射性シート部材１４３として耐熱性の比較的低い素材を使用することができる。よって、製造コストを低減することができる。
【００６１】
実施例３においても、実施例１と同様の効果を奏することができる。
【００６２】
実施例１から実施例３は、光学ユニット２００を副走査方向Ｙに移動しながら原稿台ガラス２０２の上の原稿２０３の画像を読み取る固定読みモードで動作する画像読取装置２０７を説明した。固定読みモードにおいては、照明装置５０は、個体撮像素子２０６が原稿２０３の画像を線状に画像信号に変換する主走査方向Ｘに線状に原稿２０３を照明する。画像読取装置２０７は、主走査方向Ｘに直交する副走査方向Ｙに照明装置５０及び個体撮像素子２０６を移動させながら原稿２０３の画像を読み取る。
【００６３】
画像読取装置２０７は、光学ユニット２００を読取位置に停止して、読取位置の上で原稿２０３を副走査方向Ｙに移動させながら原稿２０３の画像を読み取る流し読みモードを有していてもよい。流し読みモードにおいては、照明装置５０は、主走査方向Ｘに線状に原稿２０３を照明する。画像読取装置２０７は、原稿２０３を主走査方向に直交する副走査方向Ｙに移動させながら原稿２０３の画像を読み取る。照明装置５０は、流し読みモードにおいても固定読みモードと同様の効果を奏することができる。
【符号の説明】
【００６４】
５０  照明装置
１００  発光素子
１０２、１２２、１４２  導光体
１０３  入射面
１０４  導光部
１０６  出射面
１０７  光
１０８  発光部
１１０  庇部
１１１  傾斜頂面（反射部）
１１４、１１５  光
１１７  反射光
１３２  反射性塗料（反射部）
１４３  反射性シート部材（反射部）
２０３  原稿
２０６  個体撮像素子（イメージセンサー）
２０７  画像読取装置
Ｅ  出射方向
【図１】
2015082795.tif 000003
【図２】
2015082795.tif 000004
【図３】
2015082795.tif 000005
【図４】
2015082795.tif 000006
【図５】
2015082795.tif 000007
【図６】
2015082795.tif 000008